(57)【要約】【課題】本発明は、簡単な構成により撮影環境や条件に応じたスミア対策が実施可能な撮像装置の提供を目的とする。【解決手段】上記の課題を解決するために本発明に係る撮像装置は、被写体からの光を光学系を介して受光する受光部と、受光した光を光電変換して画像情報を生成する光電変換部と、生成された画像情報を転送する転送部とを有する撮像手段と、撮像手段で生成された画像情報に基づいて輝度に関する輝度情報を生成する画像情報処理手段と、生成された輝度情報に応じて、転送部での転送速度を設定する設定手段と、設定された転送速度に基づいて、撮像手段を駆動する駆動手段と備える。【選択図】図３
2010166297.tif 000002
【特許請求の範囲】
【請求項１】
被写体からの光を光学系を介して受光する受光部と、前記受光した光を光電変換して画像情報を生成する光電変換部と、前記生成された画像情報を転送する転送部と、を有する撮像手段と、
前記撮像手段で生成された画像情報に基づいて輝度に関する輝度情報を生成する画像情報処理手段と、
前記生成された輝度情報に応じて、前記転送部での転送速度を設定する設定手段と、
前記設定された転送速度に基づいて、前記撮像手段を駆動する駆動手段と、
を備える撮像装置。
【請求項２】
前記設定手段は、
輝度情報が取り得る値の範囲を複数の小範囲に分割した場合において、前記画像情報処理手段で生成された輝度情報の示す値が、その複数の小範囲のうちのいずれに属するかに応じて、前記転送部での転送速度を設定する、
請求項１に記載の撮像装置。
【請求項３】
前記画像情報処理手段は、前記撮像手段により転送された画像情報から得られる画像を複数の小領域に分割した後、前記小領域全数の輝度平均値を取得することを特徴とした、
請求項１と２に記載の撮像装置。
【請求項４】
前記画像情報処理手段は、前記撮像手段により転送された画像情報から得られる画像を複数の小領域に分割した後、画像の中央付近の小領域の輝度の値には重み付けをした上で、前記小領域全数の輝度平均値を取得することを特徴とした、
請求項１から３に記載の撮像装置。
【請求項５】
前記画像情報処理手段は、前記撮像手段により転送された画像情報から得られる画像を複数の小領域に分割した後、前記小領域の分割された全数における輝度の最大値を取得することを特徴とした、
請求項１から４に記載の撮像装置。
【請求項６】
前記光学系は絞りを少なくとも含み、
前記設定手段は、前記絞りの絞り値に応じて、前記輝度情報に関する小範囲を変更する、
請求項２から５に記載の撮像装置。
【発明の詳細な説明】
【技術分野】
【０００１】
本発明は、撮像素子の消費電力削減とスミア対策を施した撮像装置に関する。
【背景技術】
【０００２】
消費電力削減とスミア対策を施した撮像装置に関する技術が開示されている。例えば、特許文献１は、スミアを検出したとき、撮像素子の画像信号生成の間隔を決めるクロック信号の周波数を大きくする。一方、スミアを検出しないときは、消費電力削減のためクロック信号の周波数を小さくする。このようにクロック周波数の調整によるスミア低減化の技術が開示されている。
【特許文献１】特開2008-98985号公報
【発明の開示】
【発明が解決しようとする課題】
【０００３】
従来技術ではスミアの発生を検出してからクロック信号の周波数を変更している。そのため、スミア発生の問題が生じてからスミア対策の効果が現れるまでに遅延時間が生じていた。
【０００４】
また、スミア発生の有無を検出するのみであるため、特定の撮影環境や撮影条件等に応じたスミア対策を施すことが困難であった。また、回路の簡略化も困難であった。
【０００５】
本発明は上記事情を鑑みてなされたもので、簡単な構成により撮影環境や条件に応じたスミア対策が実施可能な撮像装置の提供を目的とする。
【課題を解決するための手段】
【０００６】
上記の課題を解決するために本発明に係る撮像装置は、被写体からの光を光学系を介して受光する受光部と、受光した光を光電変換して画像情報を生成する光電変換部と、生成された画像情報を転送する転送部とを有する撮像手段と、撮像手段で生成された画像情報に基づいて輝度に関する輝度情報を生成する画像情報処理手段と、生成された輝度情報に応じて、転送部での転送速度を設定する設定手段と、設定された転送速度に基づいて、撮像手段を駆動する駆動手段と備える。
【発明の効果】
【０００７】
本発明により、簡単な構成で撮影環境や条件に応じたスミア対策が実施可能な撮像装置を提供することができる。
【発明を実施するための最良の形態】
【０００８】
以下、添付図面を参照して本発明の好適な実施の形態を詳細に説明する。
〔１．  実施の形態１〕
本発明に係るスミア対策法は例えばデジタルカメラ等の撮像する装置に適用できる。以下図面を用いて、デジタルカメラ９９に適用した本発明の実施の形態１について説明する。
【０００９】
〔１−１．  構成〕
〔１−１−１．  概要〕
図１に実施の形態１の電気的構成のブロック図を示す。
【００１０】
本発明に係るデジタルカメラ９９は、被写体像を光学系１００を通してCCDイメージセンサー１０４で撮像する。撮像により作成された画像データは前処理部（AFE）１０５や画像処理部１０６において各種処理を施される。画像データはフラッシュメモリ１２０やメモリカード１２２に保存される。フラッシュメモリ１２０やメモリカード１２２に保存された画像データは、使用者による操作部１３０の操作を受け付けて液晶ディスプレイ１４０上に再生表示される。以下でデジタルカメラ９９における各電気的構成の詳細を説明する。
【００１１】
〔１−１−２．  電気的構成〕
フォーカスレンズ１０１は焦点距離の調節に用いられる。ズームレンズ１０２は拡大縮小倍率の調節に用いられる。絞り１０３は絞りの開き具合の調節に用いられる。フォーカスレンズ１０１、ズームレンズ１０２、絞り１０３の動作は駆動装置を介してメインコントローラー１１０により制御される。なお、光学系１００は収差補正等のためレンズ構成は何枚でも何郡でもよい。また、光学系１００に光学式手ぶれ補正レンズOIS（Optical Image Stabilizer）（図示せず）を含んでいてもよい。
【００１２】
CCDイメージセンサー１０４は光学系１００を通して集光された光を電気信号へと変換する。CCDイメージセンサー１０４の受光面には多数のフォトダイオードが2次元的に配列されている。被写体からの光は光学系１００を通過したのちにCCDイメージセンサー１０４上の受光面に結像される。そして、被写体からの光は受光面にて光電効果により電荷として蓄えられる。各受光面で蓄えられた電荷は垂直CCDおよび水平CCDによってアンプに転送される、その結果、画像信号が生成される。なお、本発明は、インターライントランスファー方式のCCDイメージセンサーに限らない。例えば、フレームトランスファー方式や、フレームインターライントランスファー方式など、他の転送方式のCCDイメージセンサーでもよい。
【００１３】
前処理部１０５は、CCDイメージセンサー１０４で生成された画像信号に対して、相関二重サンプリング、ゲイン調整、およびアナログ形式の画像データからデジタル形式の画像データへの変換を施す。その後、前処理部１０５はRGB信号の画像データを画像処理部１０６に出力する。
【００１４】
画像処理部１０６は、入力されたRGB信号の画像データに対して自動露出検出やJPEG形式への圧縮等の処理を施す。
自動露出検出をするために画像処理部１０６は、画像データから得られる画像を複数の小領域に分割し、分割した小領域ごとにRGB信号の積算値を算出し、メインコントローラー１１０に出力する。メインコントローラー１１０は、RGB信号に基づいて被写体の輝度を検出し、撮影に適した露出値を算出する。メインコントローラー１１０は、算出された露出値と所定のプログラム線図に従って、絞り値とシャッタースピードを決定する。自動露出検出の過程で得られる画像の輝度の値は本発明において使用可能である。
JPEG形式への圧縮は、大別してダウンサンプリング、離散的コサイン変換、量子化、ハフマン符号化の手順で行われる。なお、ダウンサンプリングの過程において、RGB信号は輝度と色情報であるYCbCrや輝度と色差情報であるYUVに分解される。JPEG形式への圧縮の過程で得られる画像の輝度の値は本発明に使用可能である。
画像処理部１０６が施す各種処理としては、他にもガンマ補正、ホワイトバランス補正、YC変換処理、電子ズーム処理、動画圧縮・伸張処理等が挙げられるが、これらに限定されるものではない。また、これらの一部を欠く構成としてもよい。画像処理部１０６は、ハードワイヤードな電子回路で構成してもよいし、プログラムを用いたマイクロコンピューターなどで構成してもよい。またメインコントローラー１１０などとともに１つの半導体チップで構成してもよい。
【００１５】
液晶ディスプレイ１４０は、画像処理部１０６で処理された表示用の画像データが示す画像を表示する。また、画像の他、デジタルカメラ９９の設定条件等を表示可能である。本実施例では、表示手段の一例として液晶ディスプレイ１４０を示すが、本発明はこれに限らない。例えば、有機ELディスプレイ等の表示手段を用いてもよい。
【００１６】
本発明に係るデジタルカメラ９９全体の動作はメインコントローラー１１０によって統括制御される。メインコントローラー１１０は、ハードワイヤードな電子回路で構成してもよいし、プログラムを用いたマイクロコンピューターなどで構成してもよい。また、画像処理部１０６などと共に1つの半導体チップで構成してもよい。また、メインコントローラー１１０は内部メモリを備えるようにしてもよい。
【００１７】
メインコントローラー１１０は、垂直同期信号を定期的に生成するメインコントローラー１１０は、垂直同期信号をタイミング発生器（TG）１０７に出力する。
【００１８】
タイミング発生器１０７は、垂直同期信号に基づいて、CCDイメージセンサー１０４、前処理部１０５、画像処理部１０６を駆動するための同期信号を生成する。
【００１９】
タイミング発生器１０７は駆動パルスを定期的に生成し、ＣＣＤイメージセンサー１１０を駆動する。すなわち、ＣＣＤイメージセンサー１１０は、駆動パルスに応じて、ＣＣＤイメージセンサー１１０内に多数存在する受光面で生成された電荷を垂直CCDに読み出し、続いて水平CCDに転送する。続いて、生成された電荷はアンプに転送され、ここで電気信号に変換される。その後、CCDイメージセンサー１１０は、この電気信号を前処理部１０５に転送する。駆動パルスの周波数が高くなるとCCDイメージセンサー１１０の電荷転送速度は速くなり、一方、駆動パルスの周波数が低くなるとCCDイメージセンサー１１０の電荷転送速度は遅くなる。
【００２０】
ここで、CCDイメージセンサー１１０の電荷転送速度とスミア対策との関係について簡単に説明する。図２は、CCDイメージセンサー１１０の電荷転送速度と、転送に費やす処理時間と、消費電力の関係図を示す。電荷転送速度が速くなると、転送に費やす処理時間が短くなる。つまり、その処理時間中にCCDイメージセンサー１１０に蓄積されるスミア成分が少なくなり、その結果スミア発生を低減することができる。しかし一方、電荷転送速度が速くなると消費電力が高くなってしまうため、スミア発生が予測される場面に限りCCDイメージセンサー１１０の電荷転送速度を速くするのが望ましい。そのため本発明はスミア発生を予防しながら、可能な限り消費電力を抑えるため、スミア発生を予測しうる場面のときにより高速側にCCDイメージセンサー１１０の電荷転送速度に切り替える。
【００２１】
バッファメモリ１１９は、画像処理部１０６やメインコントローラー１１０のワークメモリとして機能する記憶手段である。バッファメモリ１１９はDRAM（Dynamic Random Access Memory）などで実現できる。
【００２２】
フラッシュメモリ１２０は、画像データ等を記憶するための内部メモリとして機能する。メインコントローラー１１０は、画像処理部１０６で処理される画像データをフラッシュメモリ１２０に記憶させたり、メモリカード１２２に記憶させたりする。
【００２３】
カードスロット１２１は、メモリカード１２２を着脱可能な接続手段である。カードスロット１２１は、メモリカード１２２を電気的及び機械的に接続可能である。また、カードスロット１２１は、メモリカード１２２を制御する機能を備えてもよい。
【００２４】
メモリカード１２２は、内部にフラッシュメモリ等の記憶部を備えた外部メモリである。メモリカード１２２は、画像処理部１０６で処理される画像データなどのデータを記憶可能である。本実施例では、外部メモリの一例としてメモリカード１２２を示すが、本発明はこれには限らない。例えば、光ディスク等の記憶媒体を外部メモリとしてもよい。
【００２５】
操作部１３０は、デジタルカメラ９９の外装に備わっているボタン状やスライド状のもの、あるいは液晶ディスプレイ１４０に触れて操作するタッチパネル式のものを含む。操作部１３０は使用者による操作を受け付ける。
【００２６】
〔１−１−３．  本発明との対応〕
ＣＣＤイメージセンサー１０４は、本発明の撮像手段の一例である。フォトダイオードは受光部の一例である。フォトダイオードは光電変換部の一例である。垂直CCDおよび水平CCDは転送部の一例である。前処理部１０５や画像処理部１０６は、本発明の画像情報処理手段の一例である。メインコントローラー１１０とタイミング発生器107とからなる構成は、本発明の設定手段の一例である。メインコントローラー１１０とタイミング発生器107とからなる構成は、本発明の駆動手段の一例である。デジタルカメラ９９は、本発明の撮像装置の一例である。
【００２７】
〔１−２．  動作〕
〔１−２−１．  概要〕
本発明に係るデジタルカメラ９９は、取得した画像の輝度に応じてCCDイメージセンサー１０４の電荷転送速度を変化させる。以下で、本発明の各輝度取得法によるスミア対策法を、図を用いて順に説明する。図３は画像の輝度平均値を取得する場合のフローチャートである。図６は画像の中央付近に重点をおいた輝度の平均値を取得する方法のフローチャートである。図８は、画像小領域の輝度の最大値を取得する場合のフローチャートである。
【００２８】
〔１−２−２．  輝度平均値取得〕
図３を用いて、画像の輝度平均値を取得する場合を説明する。CCDイメージセンサー１０４により取得した画像データは、後段の画像処理部１０６に送られて各種の処理が施される。この各種の処理の一つとして、画像処理部１０６は画像の輝度取得を行う。
【００２９】
始めに、画像処理部１０６は、画像データから得られる画像を複数の小領域に分割する（S11）。例えば、図７に示すように縦６×横８に分割する。
【００３０】
続いて、画像処理部１０６は、分割したそれぞれの画像小領域について、上述した自動露出検出やJPEG形式への圧縮等の過程から輝度を取得する。このときまず、画像処理部１０６は、分割したそれぞれの画像小領域を構成する画素全数のRGB信号値の平均値を一旦算出する。そして、その算出したRGB信号値の平均値から各画像小領域の輝度平均値を取得する（S12）。続いて、画像処理部１０６は、取得した各画像小領域の輝度平均値を用いて、画像全体における輝度の平均値を取得する（S13）。デジタルカメラ９９は、ここで取得された画像全体の輝度の平均値を監視し、以下で説明する処置を実行する。
【００３１】
メインコントローラー１１０およびタイミング発生器107は、取得した画像全体の輝度に基づいてCCDイメージセンサー１０４の電荷転送速度を決定する（S14）。以下で電荷転送速度決定法について説明する。デジタルカメラ９９は、CCDイメージセンサー１０４が取得した画像の輝度と、その輝度条件に対応付けするべきCCDイメージセンサー１０４の電荷転送速度を予め設定している。この対応関係を元に、メインコントローラー１１０およびタイミング発生器107は取得した画像の輝度からCCDイメージセンサー１０４の電荷転送速度を設定する（S14）。例えば、図４に示すように、輝度に対して所定の閾値を決めておき、その所定の閾値に対して取得した輝度が低ければ電荷転送速度を低速、取得した輝度が高ければ電荷転送速度を高速となるようにCCDイメージセンサー１０４の電荷転送速度を設定する（S14）。輝度に対する所定の閾値は複数存在していてもよく、図５に示すように取得した画像の輝度と閾値との大小関係によってCCDイメージセンサー１０４の電荷転送速度を設定する（S14）。
【００３２】
デジタルカメラ９９はCCDイメージセンサー１０４により取得した画像の輝度を監視し続け、適宜電荷転送速度を変更する。
【００３３】
〔１−２−３．  輝度平均値取得（中央重点）〕
図６を用いて、画像の中央付近に重点を置いた上で輝度平均値を取得する場合を説明する。図６において、図３を用いた前述の動作との共通部分には同じ番号を付した。共通部分については説明を省略する。
【００３４】
画像処理部１０６は、画像データから得られる画像を複数の小領域に分割し（S11）、上述した自動露出検出やJPEG形式への圧縮等の過程から輝度の値を取得する。このときまず、画像処理部１０６は、分割したそれぞれの画像小領域を構成する画素全数のRGB信号値の平均値を一旦算出する。そして、その算出したRGB信号値の平均値から各画像小領域の輝度平均値を取得する（S12）。続いて、画像処理部１０６は、取得した各画像小領域の輝度平均値を用いて、画像全体における輝度の平均値を取得する（S２3）。このとき、画像の中央付近に位置する画像小領域の輝度平均値の値には、画像の周辺に位置する画像小領域の輝度平均値に比べ重み付けをした上で、画像全体の輝度平均値を取得する。図7にイメージ図を示す。図7では画像の中央付近の縦４×横６の小領域について重み付けをする例を示しているが、本発明はこれに限定しない。画像の中央付近の任意の範囲の小領域について、その輝度に重み付けして輝度平均値を取得する方法であればよい。デジタルカメラ９９は、ここで取得された画像全体の輝度の平均値を監視する。
【００３５】
メインコントローラー１１０およびタイミング発生器107は、取得した画像全体の輝度の平均値に基づいてCCDイメージセンサー１０４の電荷転送速度を設定する（S14）。
【００３６】
デジタルカメラ９９はCCDイメージセンサー１０４により取得した画像の輝度を監視し続け、適宜電荷転送速度を変更する。
【００３７】
〔１−２−４．  輝度の最大値取得〕
図８を用いて、画像小領域の輝度の最大値を取得する場合を説明する。図８において、図３を用いた前述の動作との共通部分には同じ番号を付した。共通部分については説明を省略する。
【００３８】
画像処理部１０６は、画像データから得られる画像を複数の小領域に分割し（S11）、上述した自動露出検出やJPEG形式への圧縮等の過程から輝度の値を取得する。このときまず画像処理部１０６は、分割したそれぞれの画像小領域を構成する画素全数のRGB信号値の平均値を一旦算出する。そして、その算出したRGB信号値の平均値から各画像小領域の輝度平均値を取得する（S12）。続いて、画像処理部１０６は、取得した各画像小領域の輝度平均値のうちの最大値を取得する（S３3）。図９にイメージ図を示す。デジタルカメラ９９は、分割された各画像小領域の輝度平均値のうちの最大値を監視する。
メインコントローラー１１０およびタイミング発生器107は、取得した各画像小領域の輝度のうち最大値となった輝度に基づいてCCDイメージセンサー１０４の電荷転送速度を設定する（S14）。
デジタルカメラ９９はCCDイメージセンサー１０４により取得した画像の輝度を監視し続け、適宜電荷転送速度を変更する。
【００３９】
〔１−３．  本実施の形態１のまとめ〕
本実施の形態１に係るデジタルカメラ９９は、CCDイメージセンサー１０４と、前処理部１０５と、画像処理部１０６と、タイミング発生器１０７と、メインコントローラー１１０とを備える。CCDイメージセンサー１０４は、光学系を介した被写体からの光をフォトダイオードで受光し、この受光した光を光電変換して画像データを作成する。CCDイメージセンサー１０４は作成した画像データを垂直CCDや水平CCDを介して、画像処理部１０６に転送する。メインコントローラー１１０とタイミング発生器１０７とからなる構成は、CCDイメージセンサー１０４の電荷転送速度を設定する。また、画像処理部１０６は、転送された画像データから得られる画像の輝度を取得する。本実施の形態１に係るデジタルカメラ９９は、画像処理部１０６が取得した輝度に応じて、CCDイメージセンサー１０４の電荷転送速度を設定し、この転送速度に基づいてCCDイメージセンサー１０４を駆動する。
【００４０】
これにより、本実施の形態１に係るデジタルカメラ９９は、スミアが発生する事前に、取得した画像の輝度に応じて、スミア対策を施すことができる。
【００４１】
また、本実施の形態１に係るデジタルカメラ９９は、輝度情報が取り得る値の範囲を所定の閾値により複数の小範囲に分割した場合において、画像情報処理部１０６で生成された輝度情報の示す値が、その複数の小範囲のうちのいずれに属するかに応じて、垂直CCDや水平CCDでの転送速度を設定する。
【００４２】
これにより、本実施の形態１に係るデジタルカメラ９９は、スミア発生が取得した画像の輝度に応じて予測される場合、CCDイメージセンサー１０４の転送速度を段階的に調整することができる。つまり、本実施の形態１に係るデジタルカメラ９９は、輝度に応じてスミア対策と電力消費節約のバランスが好適になるように段階的に調整できる。
【００４３】
本実施の形態１に係るデジタルカメラ９９の画像処理部１０６は、CCDイメージセンサー１０４により転送された画像データから得られる画像を複数の小領域に分割した後、分割した小領域全数の輝度平均値を取得する。
【００４４】
これにより、本実施の形態１に係るデジタルカメラ９９は、取得した画像に基づく輝度取得の過程において、画像処理部１０６の演算処理回数を節約することができる。
【００４５】
また、本実施の形態１に係るデジタルカメラ９９の画像処理部１０６は、CCDイメージセンサー１０４により転送された画像データから得られる画像を複数の小領域に分割した後、画像の中央付近の小領域の輝度の値には重み付けをした上で、分割した小領域全数の輝度平均値を取得する。
【００４６】
これにより、本実施の形態１に係るデジタルカメラ９９は、取得される画像の中央付近のスミア発生の予防に特に注力したスミア対策を施すことができる。
【００４７】
更にまた、本実施の形態１に係るデジタルカメラ９９の画像処理部１０６は、CCDイメージセンサー１０４により転送された画像データから得られる画像を複数の小領域に分割した後、分割した小領域全数における輝度の最大値を取得する。
【００４８】
これにより、本実施の形態１に係るデジタルカメラ９９は、取得される画像の高輝度の輝点に起因するスミア発生の予防に特に注力したスミア対策を施すことができる。特に太陽のような高輝度の輝点が画像中に存在する場合に有効である。
〔２．  実施の形態２〕
本発明に係るデジタルカメラ９９は、絞り１０３の絞り値の変更を受け付けて、上記で取得した画像輝度に対応させるCCDイメージセンサー１０４の電荷転送速度を調整する。絞り以外の構成は実施の形態１と同じのため説明は省略する。
【００４９】
本発明に係るデジタルカメラ９９の絞りの絞り値に応じたCCDイメージセンサー１０４の電荷転送速度の調整について、図１０を用いて説明する。
【００５０】
図１０に示すように、デジタルカメラ９９は絞り値の変更を監視する（S41）。絞り値の変更が認められるときは、CCDイメージセンサー１０４の電荷転送速度を切り替える輝度の閾値を変更する（S42）。絞り１０３を開いていくと絞り値は小さくなり、CCDイメージセンサー１０４はより多くの光を取り込むことができる。一方、絞り１０３を閉じていくと絞り値は大きくなり、取り込める光の量が減少していく。そのため、例えば絞り値を小さくするような撮影環境や撮影条件においては、一度に照射される光量が多くなるためスミアが発生しやすくなる。そこで、絞り値を小さくするような場面においては、CCDイメージセンサー１０４の電荷転送速度切り替えに対応した輝度の閾値を低めになるように値をシフトする。逆に一方、絞り値を大きくするような場面においては、CCDイメージセンサー１０４の電荷速度切り替えに対応した輝度の閾値を高めになるように値をシフトする。
【００５１】
これにより、本発明に係るデジタルカメラ９９は、使用者が変更した絞りの絞り値を自ら考慮することなく、変更した絞りの値に好適な輝度評価によるスミア対策を施すことができる。
〔３．  他の実施の形態〕
本発明は、上記実施の形態に限られず、種々の方法で実現可能である。例えば、以下の形態が考えられる。
【００５２】
上記では、輝度取得方法として、自動露出検出の過程およびJPEG形式への圧縮過程で取得する方法を説明したが、本発明はこれに限定されない。すなわち、画像データから画像の輝度を取得できる方法であれば他の方法でも本発明に適用可能である。
【００５３】
上記では、画像処理部１０６において輝度を取得する方法を説明したが、本発明はこれに限定しない。例えば前処理部１０５や他の構成においても、輝度が取得できれば本発明に適用可能である。
【００５４】
上記では画像の分割例として縦６×横８の場合を示したが、本発明は画像の分割数に特に限定を設けない。すなわち、画像の分割数に係らず本発明に適用可能である。また、本発明は、画像の分割数を最大にした場合、つまり画素一個一個について輝度を取得する場合も含む。しかし、画像の分割数が多くなるに従ってメインコントローラー１１０の演算処理時間が増加することは言うまでもない。
【００５５】
更にまた、上記では画像の分割例として縦横の分割の場合を示したが、本発明はこれに限定しない。例えば斜め線による分割でも、中央付近に円心を持つ大きさの異なる円形による分割でもよい。つまり、本発明における画像分割の仕方は如何なる方法でもよい。
【００５６】
上記では各画像小領域の輝度平均値を取得してから、画像全体の輝度平均値を取得したが、本発明はこの順序に限定しない。例えば、各画像小領域のRGB信号の平均値から、一旦画像全体のRGB信号の平均値を取得し、その後一括して画像全体の輝度平均値を取得してもよい。
【００５７】
上記では、輝度平均値を取得する場合、画像の中央付近に重点をおいた輝度の平均値を取得する場合、画像小領域の輝度の最大値を取得する場合を説明したが、本発明はこれらの個別での実行に限定しない。すなわち、上記のうち複数の輝度取得法を同時に実行し、そのとき得られた複数の輝度の中から代表値を選び、その代表値に基づいてスミア対策を施してもよい。例えば、画像の中央付近に重点をおいた輝度の平均値と、画像小領域のうちの輝点最大値の両方を取得後、どちらかの値に代表させてもよい。
【００５８】
なお、本発明に係るデジタルカメラ９９は、スミア発生の予測に、画像処理部１０６が通常の撮影において取得する輝度情報を用いる。そのため、簡単な構成でスミア対策が実施可能である。
【産業上の利用可能性】
【００５９】
本発明はデジタルカメラに限定されるものではなく、カムコーダー、カメラ付き携帯電話など、撮像装置を備えたものであれば適用することができる。
【図面の簡単な説明】
【００６０】
【図１】本発明の実施の形態１に係る撮像装置の電気的構成を示すブロック図
【図２】本発明の実施の形態１に係る撮像装置の電荷転送速度と処理時間と電力の関係
【図３】本発明の実施の形態１に係る撮像装置の動作のフローチャート
【図４】輝度と転送速度の対応付けのイメージ図
【図５】輝度と転送速度の対応付けのイメージ図
【図６】本発明の実施の形態１に係る撮像装置の動作のフローチャート（中央重点）
【図７】本発明の実施の形態１に係る撮像装置の画像輝度取得イメージ図（中央重点）
【図８】本発明の実施の形態１に係る撮像装置の動作のフローチャート（輝点）
【図９】本発明の実施の形態１に係る撮像装置の画像輝度取得イメージ図（輝点）
【図１０】本発明の実施の形態２に係る撮像装置の動作のフローチャート
【符号の説明】
【００６１】
９９    デジタルカメラ、
１０１    フォーカスレンズ、
１０２    ズームレンズ、
１０３    絞り、
１０４    CCDイメージセンサー、
１０５    前処理部（AFE）、
１０７    タイミング発生器、
１１０    メインコントローラー、
１２０    フラッシュメモリ、
１２１    カードスロット、
１２２    メモリカード、
１３０    操作部、
１４０    液晶ディスプレイ
【図１】
2010166297.tif 000003
【図２】
2010166297.tif 000004
【図３】
2010166297.tif 000005
【図４】
2010166297.tif 000006
【図５】
2010166297.tif 000007
【図６】
2010166297.tif 000008
【図７】
2010166297.tif 000009
【図８】
2010166297.tif 000010
【図９】
2010166297.tif 000011
【図１０】
2010166297.tif 000012